(57)【特許請求の範囲】
【請求項１】
排水源からの排水を受け入れる中継槽内に、排水を排水処理装置へ排出するポンプを備えた中継ポンプ槽において、
前記中継槽の底部に、前記ポンプの脚が設置される脚設置部と、この脚設置部よりも深く形成された深部とを設けたことを特徴とする中継ポンプ槽。
【請求項２】
前記脚設置部と深部との間に傾斜路を形成したことを特徴とする請求項１記載の中継ポンプ槽。
【請求項３】
前記深部は前記ポンプの吸込口の下方に位置することを特徴とする請求項１又は請求項２記載の中継ポンプ槽。
【請求項４】
外周側に前記中継槽の内面に形成されたリブが嵌合する溝を有し、内周側が略すり鉢形状を成して前記脚設置部と深部が形成されたポンプ回り止め部材を備えたことを特徴とする請求項１ないし請求項３のいずれかに記載の中継ポンプ槽。
【請求項５】
前記ポンプ回り止め部材は、水等を注入するための注入口が形成された中空成形品から成ることを特徴とする請求項４記載の中継ポンプ槽。
【請求項６】
前記排水源が、台所や厨房等における流し台のシンクに取り付けられたディスポーザであることを特徴とする請求項１ないし請求項５のいずれかに記載の中継ポンプ槽。
【発明の詳細な説明】
【０００１】
【発明の属する技術分野】
本願発明は、台所や厨房等におけるディスポーザなどの排水源からの排水を受け入れる中継槽内に、排水を排水処理装置へ排出するポンプを備えた中継ポンプ槽に関するものである。
【０００２】
【従来の技術】
本願出願人は、例えば、流し台のシンクに取り付けられたディスポーザからの排水を屋外に設置された排水処理装置で処理する排水処理システムとして、図８に示すようなものを既に提案している（特願２０００−３９０２８６）。
【０００３】
同図に示すように、屋内のシンク１の排水口にはディスポーザ２が取り付けられており、このディスポーザ２に給水管３が接続され、この給水管３には給水弁４が取り付けられている。
【０００４】
上記ディスポーザ２の排出口に接続された排水管６は、途中に封水のためのＵ字状のトラップ６ａが形成されて、屋外に埋設された中継槽７に配管され、中継槽７の側壁上部にその流入口７ａが形成されている。中継槽７内には圧送ポンプ８とフロートセンサ９が設けられており、圧送ポンプ８の吐出口に接続された吐出管１０が中継槽７の上蓋７ｂを貫通して地上に設置された排水処理装置１１に接続されている。
【０００５】
上記排水処理装置１１は、例えば、前記圧送ポンプ８からの吐出管１０が接続される流路切替装置を介してディスポーザ使用時以外の台所で使用した生活排水が流入する雑排水流量調整槽と、上記流路切替装置を介して流入するディスポーザ使用時の粉砕生ごみを含んだ排水と後述する凝集沈殿槽からエアリフトポンプにより返送される汚泥が流入する生ごみ流量調整槽と、この生ごみ流量調整槽からエアリフトポンプにより移送される固液混合物を固体分と液体分に分離する固液分離装置と、この固液分離装置で分離された液体分が投入されると共に前記雑排水流量調整槽からエアリフトポンプにより移送される生活排水が投入される担体流動槽（曝気槽）と、この担体流動槽から自然流下により流入する処理水中の汚泥分を凝集させて沈殿分離する凝集沈殿槽と、前記固液分離装置で分離されて投入される固体分と予め収納された微生物担体とを攪拌体により攪拌混合して、担体に生息する微生物により堆肥化するコンポスト化装置等から成っている。
【０００６】
上記凝集沈殿槽で沈殿分離した汚泥はエアリフトポンプにより生ごみ流量調整槽に返送され、凝集沈殿槽の上澄み液が自然流下により排水処理装置１１の近傍に埋設された下水ます１２に配管１３を介して排出される。この下水ます１２には下水管１４が接続されており、上記排水処理装置１１から排出された処理水は下水ます１２を介して下水管１４に放流されるようになっている。
【０００７】
そして、前記中継槽７の側壁には、ディスポーザ２からの排水の流入口７ａよりも低い位置で、かつ圧送ポンプ８やフロートセンサ９の正常動作時における中継槽７の最高水位よりも高い位置に排出口７ｃが形成されており、この排出口７ｃに接続された配管１５がやや下り勾配を持たせて前記下水ます１２に接続されている。
【０００８】
また、前記下水ます１２に設けられた下水管１４の排出口１４ａは、下方に折曲形成して常時水没するように構成することにより、封水トラップ１４ｂが設けられており、下水管１４からの臭気や害虫の進入を防げるようになっている。
【０００９】
なお、ディスポーザ排水管６又は吐出管１０には、例えば静電容量式の流量検出センサ６ｂ又は１０ｂが取り付けられている。また、中継槽７の上蓋７ｂには、雨よけ対策が施された空気抜き７１が設けられている。
【００１０】
以上の構成において、圧送ポンプ８やフロートセンサ９の正常動作時には、ディスポーザ２で粉砕された粉砕生ごみを含む排水や台所で発生する通常の生活排水が排水管６を介して中継槽７に流入し、中継槽７の水位が一定以上になると、フロートセンサ９がＯＮとなって、圧送ポンプ８が駆動される。圧送ポンプ８により圧送された排水は吐出管１０を介して排水処理装置１１に搬送される。排水処理装置１１では、前述した流路切替装置がディスポーザ使用時以外は雑排水流量調整槽側にあり、ディスポーザ使用時のみ生ごみ流量調整槽側に切り替えられるので、生活排水は雑排水流量調整槽に流れ込み、粉砕生ごみを含む排水は生ごみ流量調整槽に流れ込む。排水処理装置１１で浄化処理された処理水は、配管１３を通して下水ます１２に自然流下し、下水管１４に流される。
【００１１】
一方、圧送ポンプ８の故障や停電あるいはフロートセンサ９の不作動などによって、圧送ポンプ８の搬送能力が不足したり機能しなくなった場合には、中継槽７内の水位が正常時の最高水位を超えて上昇するが、側壁に形成された排出口７ｃ位置まで上昇すると、排出口７ｃより自然流下により配管１５を介して排出槽１２に流出し、下水管１４に流される。
【００１２】
【発明が解決しようとする課題】
ところで、上記の中継ポンプ槽においては、中継槽７として、粉砕生ごみ等の固形物が堆積，残留しやすく中継ポンプ槽には不向きな底部形状を有するがコスト的に安価な既製品の槽（雨水ます等）を利用するため、図９に拡大図示した如く、中継槽７の底部内周に略すり鉢形状に仕切り板７ｅを取り付けて、仕切り板７ｅで囲まれた槽底面にポンプ８の脚８１を設置するようにしている。
【００１３】
しかしながら、このような構成では、ポンプ８の故障等で、図９の状態から図１０に示すようにポンプ８を取り外すと、仕切り板７ｅの側斜面に滞留していた粉砕生ごみ等の固形物Ｓが、ポンプ８の脚８１が設置されていた槽底面に落下し、ポンプ８を再設置する時、ポンプ８の脚８１の下に粉砕生ごみ等の固形物Ｓが挟まってしまうので、ポンプ８を所定の位置に容易に設置できなくなる。中継槽７は地中に埋設されているので、逆さにすることもできず、槽底面にある粉砕生ごみ等の固形物Ｓを手作業で除去しなければならず、これは容易でない。
【００１４】
また、コスト的に安価な既製品の槽を利用して中継ポンプ槽を構成するに当たり、上述したようにポンプ８を設置できると共に、ディスポーザ２からの粉砕生ごみ等の固形物Ｓがポンプ８の吸込口８２の近辺に導かれて円滑に汲み出せるように、略すり鉢形状に仕切り板７ｅを取り付けているが、仕切り板７ｅの裏側は空隙であるので、仕切り板７ｅには常に水圧が加わった状態にある。
【００１５】
一方、ポンプ８の駆動時には、ポンプ８のモータ回転方向とは逆方向にポンプ本体を回転させようとする力が発生するが、その力を受けるのは、ポンプ８の脚８１が嵌め込まれている仕切り板７ｅである。しかし、上記のような構造であると、仕切り板７ｅが壊れる虞があり、壊れるとポンプ８の固定ができなくなり、吐出管１０への断続的な過負荷等が生じて、いずれは吐出管１０の破断を招く。
【００１６】
そればかりか、割れた仕切り板７ｅと中継槽７の隙間から粉砕生ごみ排水が入り込み、粉砕生ごみが堆積することで、中継槽７内の嫌気化等により排水処理装置１１の処理能力の範囲外の粉砕生ごみ排水が発生して、排水処理装置１１の処理性能が低下してしまう虞もある。
【００１７】
そこで、本願発明はこのような課題を解決するためになされたものであり、故障等でポンプを脱着する際にも、ポンプを所定の位置に容易に再設置できる中継ポンプ槽を提供することを目的とするものである。
【００１８】
さらに、コスト的に安価な既製品の槽を利用しても、上述したような不具合の発生を防ぐことができる中継ポンプ槽を提供することを目的とするものである。
【００１９】
【課題を解決するための手段】
上記のような目的を達成するために、本願発明は、排水源からの排水を受け入れる中継槽内に、排水を排水処理装置へ排出するポンプを備えた中継ポンプ槽において、前記中継槽の底部に、前記ポンプの脚が設置される脚設置部と、この脚設置部よりも深く形成された深部とを設けたことを特徴とするものである。
【００２０】
さらに、前記脚設置部と深部との間に傾斜路を形成したことを特徴とするものである。
【００２１】
また、前記深部は前記ポンプの吸込口の下方に位置することを特徴とするものである。
【００２２】
また、外周側に前記中継槽の内面に形成されたリブが嵌合する溝を有し、内周側が略すり鉢形状を成して前記脚設置部と深部が形成されたポンプ回り止め部材を備えたことを特徴とするものである。
【００２３】
さらに、前記ポンプ回り止め部材は、水等を注入するための注入口が形成された中空成形品から成ることを特徴とするものである。
【００２４】
また、前記排水源が、台所や厨房等における流し台のシンクに取り付けられたディスポーザであることを特徴とするものである。
【００２５】
【発明の実施の形態】
以下、本願発明の一実施形態を図１〜図７を参照して詳細に説明する。なお、前記図８〜図１０と同一符号は同一又は相当部分を示している。
【００２６】
本実施形態の中継ポンプ槽は、上下２部品から成る中継槽７の底部に下述するポンプ回り止め部材７０を介して圧送ポンプ８が設置され、この圧送ポンプ８にフロートセンサ９が取り付けられている。
【００２７】
上記中継槽７は、雨水ます等として用いられるコスト的に安価な既製品の槽を利用したものであり、その下部側内面には補強等のために、図２（ｂ）等に示すように、等間隔に３本の縦方向リブ７ｄが予め形成されている。
【００２８】
一方、ポンプ回り止め部材７０は、内面形状が略すり鉢形状を成しており、その底部側には、図２（ａ）等に示すように、圧送ポンプ８の３本の脚８１に対応して窪ませた脚設置部７０ａと、これらの脚設置部７０ａよりも深く形成されて圧送ポンプ８の吸込口８２の真下に位置する深部７０ｂとが設けられており、各脚設置部７０ａと深部７０ｂとの間にはスロープ状の誘導路７０ｃが形成されている。また、このポンプ回り止め部材７０の外周には、中継槽７に利用した既製品の槽に予め形成されている３本の縦方向リブ７ｄに対応して、当該リブ７ｄが嵌合する溝７０ｄが形成されている。
【００２９】
このポンプ回り止め部材７０は、ブロー成形等による中空成形品で、内部が一つの空間になるように成形されており、水道水等を注入するための注入口７０ｅと、それを塞ぐためのキャップ７０ｆを有する。
【００３０】
一方、中継槽７の上部側壁には、前記図８に示したディスポーザ２からの排水管６が配管されて、下向きの流入口７ａが形成されると共に、図８に示した下水ます１２へのオーバーフロー配管１５が取り付けられて、オーバーフロー排出口７ｃが形成されている。
【００３１】
また、中継槽７の上蓋７ｂには、図示は省略しているが前記図８〜図１０のような雨よけ対策が施された空気抜き７１ａと、吐出管１０用のＬ字継手管７２を係合支持する凸部７１ｂが形成されていると共に、中央付近には大小の孔が連接されたひょうたん形のコード通し兼のぞき孔７３が形成されている。
【００３２】
上記コード通し兼のぞき孔７３には、当該孔７３を覆う大きさのコード通し兼のぞき蓋７４の裏面側に形成された嵌合部７４ａが嵌り込むようになっている。このコード通し兼のぞき蓋７４は、合成ゴム等の柔軟で耐候性（紫外線、温度、雨等）に優れた材料で形成されている。柔軟な材料で形成されているため、この蓋７４がコード通し兼のぞき孔７３に取り付けられた際に、当該蓋７４の真下に位置するように踏み抜き防止リブ７３ａが上蓋７ｂに一体成形されており、踏まれても踏み抜き等の問題が生じないように構成されている。
【００３３】
上記コード通し兼のぞき蓋７４は、図３（ａ），（ｂ）に示すように、コード通し兼のぞき孔７３の小孔側に位置する基部７４ｂと、大孔側に位置して前記基部７４ｂに肉薄に形成された折り曲げ部７４ｃを介して連接されたのぞき蓋部７４ｄとから成っている。
【００３４】
小径の基部７４ｂには、ポンプ用電源コード８ａとフロートセンサ用コード９ａを通す２つのコード通し孔７４ｅ，７４ｆが形成されており、さらに各コード通し孔７４ｅ，７４ｆに達する切れ込み７４ｇが形成されている。このような切れ込み７４ｇを形成することにより、図３（ａ）に示すように切れ込み７４ｇを開いて各コード８ａ，９ａを対応するコード通し孔７４ｅ，７４ｆにセットするだけで良いので、コード通し作業が容易になる。
【００３５】
また、これらのコード通し孔７４ｅ，７４ｆの内側には複数のコード用防水リブ７４ｈが、更にコード通し兼のぞき孔７３との接触面となるコード通し兼のぞき蓋７４の嵌合部７４ａの外周には複数の防水リブ７４ｉが形成されている。また、その下端には、コード通し兼のぞき蓋７４をコード通し兼のぞき孔７３に嵌め込んだ際に抜け難くなるように抜け止め用爪７４ｊが形成されている。さらに、のぞき蓋部７４ｄの上面側には取手７４ｋが形成されている。
【００３６】
上述したように、ポンプ用電源コード８ａやフロートセンサ用コード９ａは、コード通し兼のぞき蓋７４の基部７４ｂに形成されたコード通し孔７４ｅ，７４ｆに切れ込み７４ｇを介して通されるが、コード８ａ，９ａが通された基部７４ｂは、コード通し兼のぞき孔７３の小孔側に嵌め込まれて、切れ込み７４ｇはしっかりと閉じてコード８ａ，９ａに圧接するため、コード８ａ，９ａがずれて中継槽７の中で弛んだりして、ディスポーザ排水管６からの粉砕生ごみ排水の流下性に悪影響を与えることがない。
【００３７】
また、コード通し兼のぞき蓋７４の嵌合部７４ａの外周には防水リブ７４ｉが形成されているので、コード通し兼のぞき蓋７４とコード通し兼のぞき孔７３の隙間から中継槽７内に雨水等が浸入するのを防ぐことができる。同様に、コード通し孔７４ｅ，７４ｆの内側にも、それぞれコード用防水リブ７４ｈが形成されているので、雨水等がコード通し孔７４ｅ，７４ｆを通して中継槽７内へ浸入するのを防ぐことができる。
【００３８】
また、コード通し兼のぞき蓋７４の嵌合部７４ａの下端には抜け止め用爪７４ｊが形成されているので、通常使用時にコード通し兼のぞき蓋７４がコード通し兼のぞき孔７３から抜けて外れてしまうような不具合を防ぐことができる。
【００３９】
そして、点検のため中継槽７内部の様子を目視確認する時には、コード通し兼のぞき蓋７４におけるのぞき蓋部７４ｄに設けられた取手７４ｋを手で引っ張るだけで、工具等を用いずとも取手７４ｋの直下にある抜け止め用爪７４ｊが外れて、基部７４ｂとの間に形成された折り曲げ部７４ｃで折れ曲がりながら、のぞき蓋部７４ｄが引き上げられる。
【００４０】
これにより、吐出管１０を取り外したり、コード８ａ，９ａの処理を行わなくても、コード通し兼のぞき孔７３から中継槽７内部の様子を容易に確認することができるようになる。
【００４１】
以上の構成において、この中継ポンプ槽の設置時に中継槽７内に圧送ポンプ８を設置する際には、図４に示すように、まず、ポンプ回り止め部材７０の注入口７０ｅから水道水等の水を一杯になるまで注入し、キャップ７０ｆにて栓をする。
【００４２】
次に、中継槽７の下部側内面に形成されているリブ７ｄにポンプ回り止め部材７０の溝７０ｄを合わせて、ポンプ回り止め部材７０を中継槽７の底に設置する。この時、中継槽７とポンプ回り止め部材７０との間に生じする僅かな隙間には、シリコンパテ等の充填接着剤を流し込む。その後、ポンプ回り止め部材７０の各脚設置部７０ａに圧送ポンプ８の対応する脚８１が合致するようにして圧送ポンプ８をセットする。
【００４３】
このように組み立てられた中継ポンプ槽には、次のような作用効果がある。
【００４４】
すなわち、圧送ポンプ８の各脚８１はポンプ回り止め部材７０の対応する脚設置部７０ａに嵌り込んでおり、ポンプ回り止め部材７０の溝７０ｄには中継槽７のリブ７ｄが嵌り込んでいるため、圧送ポンプ８の駆動時にポンプ本体を回転させるような力が発生しても、ポンプ本体が動くことはない。因みに、圧送ポンプ８の上下方向については、吐出管１０を介して上蓋７ｂに固定されている。もし、圧送ポンプ８が故障等を起こして交換が必要な場合は、上蓋７ｂを持ち上げれば、圧送ポンプ８の各脚８１は足設置部７０ａに嵌り込んでいるだけなので、吐出管１０と共に圧送ポンプ８を一緒に引っ張り上げることができ、地中に埋設される中継ポンプ槽のポンプ交換時の手間を軽減できる。
【００４５】
また、中空のポンプ回り止め部材７０は、その内部に水道水等を充填することから、仮に中継槽７とポンプ回り止め部材７０との間にシリコンパテ等の充填接着剤等を使用しなくても、浮力が発生しないばかりか、中継槽７内に滞留する粉砕生ごみ排水による水圧も打ち消してくれる。また、内面が略すり鉢形状に形成されているので、圧送ポンプ８の吸込口８２の近辺に粉砕生ごみ等の固形物が導かれて、円滑に汲み出すことができる。
【００４６】
さらに、前記図８〜図１０に示したもののように、仕切り板７ｅと中継槽７の隙間から内側の空隙に粉砕生ごみ排水が入り込み、仕切り板７ｅの裏側に粉砕生ごみの堆積が起こることも構造的にあり得ない。
【００４７】
また、ポンプ回り止め部材７０を射出成形等により全て樹脂で形成すると、かなり材料費がかさみ、重量的にも重いものになるが、本実施形態のようなブロー成形等による中空成形品に水道水等で内部を充填する構成とすることにより、軽量化はもとより、低コストで製作することができる。
【００４８】
そして、故障等による圧送ポンプ８の脱着時には、図５に示すように圧送ポンプ８を取り外すと、ポンプ回り止め部材７０の側斜面に滞留する粉砕生ごみ等の固形物Ｓが脚設置部７０ａに落ちてくる。このまま、脚設置部７０ａに圧送ポンプ８を再設置しようとしても、圧送ポンプ８の脚８１と脚設置部７０ａとの間に粉砕生ごみ等の固形物Ｓが挟まって圧送ポンプ８を安定した状態に置けない。
【００４９】
しかし、図６に示すように、ホースＨ等を用いて洗浄水を注ぐと、脚設置部７０ａにあった固形物Ｓはスロープ状誘導路７０ｃを通ってスムーズに深部７０ｂに集まり、脚設置部７０ａには固形物Ｓが無くなる。よって、圧送ポンプ８を設置する際に圧送ポンプ８の脚８１と脚設置部７０ａとの間に固形物Ｓが挟まらなくなるので、容易に安定した状態に設置することができる。
【００５０】
また、図７に示すように、固形物Ｓが集まる深部７０ｂは圧送ポンプ８の吸込口８２の真下にあるので、再設置した圧送ポンプ８が駆動すると、その吸込口８２から速やかに吸い込まれ、吐出管１０を介して図８に示した排水処理装置１１へと排出される。
【００５１】
以上のように、本実施形態によれば、粉砕生ごみ等の固形物が堆積，残留しやすく中継ポンプ槽には不向きな底部形状を有する既製品の槽を、種々の工夫を施したポンプ回り止め部材７０を用いることにより、上述したように、不具合も生じることなく粉砕生ごみが堆積，残留しにくい中継ポンプ槽として使用することができると共に、低コスト化を図ることができる。
【００５２】
また、本実施形態のように、排水源が流し台のシンク１に取り付けられたディスポーザ２である場合、粉砕生ごみが多量に流入するので、特に効果的である。
【００５３】
【発明の効果】
以上のように本願発明によれば、排水源からの排水を受け入れる中継槽内に、排水を排水処理装置へ排出するポンプを備えた中継ポンプ槽において、中継槽の底部に、ポンプの脚が設置される脚設置部と、この脚設置部よりも深く形成された深部とを設けたことにより、故障等でポンプを脱着する際に、ポンプを取り外した後の足設置部に粉砕生ごみ等の固形物が落ちてきても、洗浄水等で簡単に深部に流下させることができるので、ポンプを所定の位置に容易に再設置できるようになる。
【００５４】
さらに、前記脚設置部と深部との間に傾斜路を形成したことにより、脚設置部にある粉砕生ごみ等の固形物を洗浄水等でスムーズに深部に流下させることができる。
【００５５】
また、前記深部は前記ポンプの吸込口の下方に位置するので、深部に集まった粉砕生ごみ等の固形物を速やかに排出することができる。
【００５６】
また、外周側に前記中継槽の内面に形成されたリブが嵌合する溝を有し、内周側が略すり鉢形状を成して前記脚設置部と深部が形成されたポンプ回り止め部材を備えたことにより、上述した効果に加えて、ポンプが安定して駆動でき、また粉砕生ごみ等の固形物が堆積，残留しやすく中継槽ポンプ槽としては不向きな底部形状を有する既製品の槽を、不具合なく粉砕生ごみ等の固形物が堆積，残留しにくい中継ポンプ槽として使用することができると共に、低コスト化を図ることができる。
【００５７】
さらに、前記ポンプ回り止め部材は、水等を注入するための注入口が形成された中空成形品から成るものであるから、軽量化はもとより、低コストで製作することができる。
【００５８】
また、前記排水源が、台所や厨房等における流し台のシンクに取り付けられたディスポーザである場合、粉砕生ごみが多量に流入するので、特に効果的である。
【図面の簡単な説明】
【図１】本願発明の一実施形態に係わる中継ポンプ槽の構成図で、（ａ）は上面図、（ｂ）は縦断面図。
【図２】上記実施形態において用いられるポンプ回り止め部材と中継槽を対応させて示した構成図で、（ａ）はポンプ回り止め部材の上面図、（ｂ）は中継槽の上面図。
【図３】上記実施形態において用いられるコード通し兼のぞき蓋の詳細構成図で、（ａ）はコード通し孔の切れ込みを開いてコードをセットするところを示す上面図、（ｂ）はコードが通された状態を示す縦断面図。
【図４】上記中継ポンプ槽の設置時に中継槽内に圧送ポンプを設置する際の組み立て手順を説明するための図。
【図５】上記中継槽から圧送ポンプを取り外した時の状態を示す図で、（ａ）はポンプ回り止め部材の上面図、（ｂ）は中継ポンプ槽の要部縦断面図。
【図６】上記図５の状態から脚設置部にある粉砕生ごみ等の固形物を除去する動作を示す図で、（ａ）はポンプ回り止め部材の上面図、（ｂ）は中継ポンプ槽の要部縦断面図。
【図７】上記図６の状態から圧送ポンプを再設置して駆動した状態を示す図で、（ａ）はポンプ回り止め部材の上面図、（ｂ）は中継ポンプ槽の要部縦断面図。
【図８】流し台のシンクに取り付けられたディスポーザからの排水を屋外に設置された排水処理装置で処理する排水処理システムの構成例を示す図。
【図９】上記図８の中継ポンプ槽の拡大図で、仕切り板の側斜面に粉砕生ごみ等の固形物が滞留しているところを示している。
【図１０】上記図９の状態から圧送ポンプを取り外した時の状態を示す図。
【符号の説明】
１  シンク
２  ディスポーザ
６  排水管
７  中継槽
７ａ  流入口
７ｂ  上蓋
７ｃ  オーバーフロー排出口
７ｄ  リブ
７０  ポンプ回り止め部材
７０ａ  脚設置部
７０ｂ  深部
７０ｃ  スロープ状誘導路
７０ｄ  溝
７０ｅ  注入口
７０ｆ  キャップ
７３  コード通し兼のぞき孔
７４  コード通し兼のぞき蓋
８  圧送ポンプ
８１  脚
８２  吸込口
１０  吐出管
１１  排水処理装置
【図１】
0003851134.tif 000002
【図２】
0003851134.tif 000003
【図３】
0003851134.tif 000004
【図４】
0003851134.tif 000005
【図５】
0003851134.tif 000006
【図６】
0003851134.tif 000007
【図７】
0003851134.tif 000008
【図８】
0003851134.tif 000009
【図９】
0003851134.tif 000010
【図１０】
0003851134.tif 000011